(57)【要約】      （修正有）【課題】  アンテナ性能を向上することのできるアンテナ内蔵電子装置を提供する。【解決手段】  アンテナ基板１３および導波基板１１が本体ケースに内蔵されている。導波基板１１は、本体ケースの取付箇所に取り付けられている。アンテナ基板１３は、導波基板１１隣接して、取付箇所に立つように配置されている。導波基板１１の縁部３１に挿入部３３が設けられており、アンテナ基板１３が導波基板１１の縁部３１に沿ったスリット３７を有している。挿入部３３がスリット３９に挿入されて、アンテナ基板１３の動きを規制している。板金金具を使わないでも、アンテナ基板１３と導波基板１１とを組み合わせて本体ケースに取り付けられる。【選択図】  図３
2006025041.tif 000002
【特許請求の範囲】
【請求項１】
筐体にアンテナ基板および導波基板を内蔵しており、
前記アンテナ基板および前記導波基板のうちの一方の基板が、前記筐体内の取付箇所に取り付けられ、他方の基板が、前記一方の基板に隣接して、前記取付箇所に立つように配置されており、前記一方の基板の縁部に挿入部が設けられ、前記他方の基板が前記一方の基板の縁部に沿ったスリットを有しており、前記挿入部が前記スリットに挿入されていることを特徴とするアンテナ内蔵電子装置。
【請求項２】
前記筐体が、前記取付箇所から立ち上がる方向に延びる支持溝を備えており、前記支持溝に前記他方の基板の両側の縁部が挿入されていることを特徴とする請求項１に記載のアンテナ内蔵電子装置。
【請求項３】
前記一方の基板の前記挿入部が、前記スリットにて前記他方の基板に係合する係合爪部を備えたことを特徴とする請求項１または２に記載のアンテナ内蔵電子装置。
【請求項４】
前記一方の基板は、前記挿入部と並んで前記縁部から突出した突起を備えており、前記他方の基板は、前記スリットに並んで設けられた突起付きスリット内に突出する突起を備えており、
前記他方の基板の突起が、前記係合爪部が外れる方向への前記一方の基板の突起の動きを規制する位置に設けられていることを特徴とする請求項３に記載のアンテナ内蔵電子装置。
【発明の詳細な説明】
【技術分野】
【０００１】
本発明は、アンテナ基板と導波基板とを筐体内に内蔵したアンテナ内蔵電子装置に関する。
【背景技術】
【０００２】
従来、アンテナ内蔵電子装置は、筐体内にアンテナ装置を内蔵している。アンテナ内蔵電子装置は、例えば、飲食店内の無線の親機である。筐体内のアンテナ装置は、例えば、アンテナパターンが設けられたアンテナ基板で構成されている（例えば特許文献１）。
【０００３】
従来のアンテナ内蔵電子装置においては、アンテナ装置が、アンテナ基板と導波基板とを備えることがある。このような場合、アンテナ基板と導波基板とが予め決められた位置関係にあり、予め決められた角度をなす必要がある。そこで、従来一般には、アンテナ基板と導波基板とが板金金具で互いに固定されている。
【特許文献１】特開２００１−３４５６２１号公報（第３−４ページ、図１）
【発明の開示】
【発明が解決しようとする課題】
【０００４】
しかしながら、従来のアンテナ内蔵電子装置においては、アンテナ基板と導波基板とを板金金具で取り付けており、板金金具がアンテナ到達距離に影響を及ぼして、アンテナ性能に影響するという問題があった。
【０００５】
本発明は、従来の問題を解決するためになされたもので、その目的は、板金金具を使わないでもアンテナ基板と導波基板とを取り付けられ、アンテナ性能を向上できるアンテナ内蔵電子装置を提供することにある。
【課題を解決するための手段】
【０００６】
本発明のアンテナ内蔵電子装置は、筐体にアンテナ基板および導波基板を内蔵しており、前記アンテナ基板および前記導波基板のうちの一方の基板が、前記筐体内の取付箇所に取り付けられ、他方の基板が、前記一方の基板に隣接して、前記取付箇所に立つように配置されており、前記一方の基板の縁部に挿入部が設けられ、前記他方の基板が前記一方の基板の縁部に沿ったスリットを有しており、前記挿入部が前記スリットに挿入されている。
【０００７】
この構成により、一方の基板が取付箇所に取り付けられると共に、他方の基板が取付箇所に立つように配置されている。そして、一方の基板の挿入部が他方の基板のスリットに挿入されており、これにより、一方の基板で他方の基板の動きが規制されている。したがって、板金金具で連結しないでも、両基板を組み合わせて筐体に取り付けられる。
【０００８】
また、本発明のアンテナ内蔵電子装では、前記筐体が、前記取付箇所から立ち上がる方向に延びる支持溝を備えており、前記支持溝に前記他方の基板の両側の縁部が挿入されている。この構成により、他方の基板の縁部を支持溝で支持することができ、ぐらつきを防止できる。さらに、支持溝は、組付け時の案内溝としても好適に機能できる。
【０００９】
また、本発明のアンテナ内蔵電子装置では、前記一方の基板の前記挿入部が、前記スリットにて前記他方の基板に係合する係合爪部を備えている。この構成により、一方の基板の挿入部が他方の基板のスリットから外れにくくなり、両基板が適切に取付箇所に取り付けられる。
【００１０】
また、本発明のアンテナ内蔵電子装置において、前記一方の基板は、前記挿入部と並んで前記縁部から突出した突起を備えており、前記他方の基板は、前記スリットに並んで設けられた突起付きスリット内に突出する突起を備えており、前記他方の基板の突起が、前記係合爪部が外れる方向への前記一方の基板の突起の動きを規制する位置に設けられている。この構成により、両基板が筐体への装着前に仮固定され、したがって、両基板を容易に筐体に組み付けられる。
【発明の効果】
【００１１】
本発明は、アンテナ基板と導波基板の一方に挿入部を設け、他方にスリットを設けたことことにより、板金金具で連結せずとも両基板を組み合わせて筐体に取り付けられ、アンテナ性能を向上できるという効果を有するアンテナ内蔵電子装置を提供することができる。
【発明を実施するための最良の形態】
【００１２】
以下、本発明の実施の形態のアンテナ内蔵電子装置（以下、電子装置という）について、図面を用いて説明する。以下の説明では、まず、図６、図７を参照して、電子装置の外観について説明し、それから、図１〜図５を参照し、電子装置に内蔵されるアンテナ装置について説明する。
【００１３】
本発明の実施の形態に係る電子装置の外観を図６、図７に示す。図６、図７は、それぞれ、前方および後方から見た斜視図である。本実施の形態では、電子装置が、飲食店等で使われる無線の親機である。電子装置１は、筐体である本体ケース３を備えており、本体ケース３から上方に外部アンテナ５が突き出ている。外部アンテナ５とは別に、もう一つのアンテナ装置が、本体ケース３に収容されている。
【００１４】
図１は、本体ケース３を裏側から見た斜視図であり、本体ケース３の内部を示している。本体ケース３は樹脂製であり、モールド成形により作られている。
【００１５】
内蔵のアンテナ装置７は、本体ケース３の取付箇所９に取り付けられている。取付箇所９は、中央の上部に設けられた横長の凹部の底板部分である。
【００１６】
アンテナ装置７は、導波基板１１（導波器）とアンテナ基板１３で構成されている。２本のねじ１５が導波基板１１を通して取付箇所９のボス１７に締め付けられており、これにより導波基板１１が取付箇所９へと取り付けられている。アンテナ基板１３は、導波基板１１に組み合わされた状態で、導波基板１１に隣接して、取付箇所９に立つように配置されている。
【００１７】
図２〜図５は、アンテナ装置７を示している。図２および図３は、組立状態および分解状態のアンテナ装置７を示し、図４は導波基板１１を示し、図５はアンテナ基板１３を示している。
【００１８】
図示のように、導波基板１１およびアンテナ基板１３は、細長い長方形である。両基板は、例えば、エポキシ基板またはガラス基板である。両基板の材質は異なっていてもよい。また、本実施の形態では、両基板の角度が直角である。
【００１９】
導波基板１１の片面には、導波パターン２１が設けられている。導波パターン２１は、図示のように、基板の長さ方向に複数回に渡って屈曲している。固定用のねじ穴２３は、導波パターン２１から離れた位置に設けられている。一方、アンテナ基板１３には、直線状のアンテナパターン２５が設けられている。アンテナパターン２５の一端が折れ曲がっており、そして、折れ曲がった部分の先端にコネクタ２７が取り付けられている。コネクタ２７は図示されない本体ケース３内の基板へと接続されている。
【００２０】
導波基板１１は、縁部３１でアンテナ基板１３に接している。縁部３１には、２つの挿入部３３が設けられている。挿入部３３は、基板面に沿って外向きに縁部３１から突出した部分である。２つの挿入部３３が、長手方向に離れて、導波基板１１の両端付近に設けられている。
【００２１】
各挿入部３３は、係合爪部３５を有している。係合爪３５は、挿入部３３から縁部３１に沿って突出した部分であり、縁部３１とほぼ平行である。２つの挿入部３３から同じ向きに係合爪部３５が突出している。
【００２２】
アンテナ基板１３は、上記の導波基板１１の挿入部３３に対応するスリット３７を備えている。２つのスリット３７が、挿入部３３に対応する位置に設けられている。挿入部３３スリット３７に挿入されており、これにより、アンテナ基板１３が導波基板１１に組み合わされている。
【００２３】
さらに、挿入部３３の係合爪部３５が、スリット３７にてアンテナ基板１３と係合している。より詳細には、挿入部３３がスリット３７に挿入された後に導波基板１１がアンテナ基板１３に対してスライドされており、これにより、係合爪部３５がスリット３７の端部でアンテナ基板１３に引っ掛かっている。
【００２４】
また、導波基板１１は、挿入部３３と並んで縁部３１から外向きに突出した突起４１を備えている。突起４１は、２つの挿入部３３の中間であって、基板の略中央に設けられている。
【００２５】
一方、アンテナ基板１３は、導波基板１１の突起に対応する位置に、もう一つのスリット４３を有している。そして、スリット４３の縁部から、スリット４３内に向けて、突起４５が突出している。
【００２６】
アンテナ基板１３の突起４５は、下記のように、係合爪部３５がアンテナ基板１３から外れる方向への導波基板１１の動きを規制するように配置されている。
【００２７】
導波基板１１がアンテナ基板１３に対して、組付時のスライド方向と反対の取外方向にスライドされると、係合爪部３５がアンテナ基板１３から外れてしまう。この外れを防ぐために、アンテナ基板１３の突起４５は、導波基板１１の突起４３よりも、上記の取外方向に位置している。これにより、導波基板１１が取外方向（爪が外れる方向）にスライドしようとすると、アンテナ基板１３の突起４５が導波基板１１の突起４３の移動に当接し、突起４３の移動を規制する。このような機能は、後述する組立途中で効果的に発揮される。組立途中では、両突起を利用して基板同士を仮固定できる。
【００２８】
なお、上記構成において、突起４３、４５は当接していてもよく、少し離れていてもよい。
【００２９】
次に、アンテナ基板１３を支持する構成について説明する。図１を参照すると、本体ケース３の取付箇所９には、２本の支持柱５１が立設されている。２本の支持柱５１は、アンテナ基板１３の両側の縁部５３に対応する位置に設けられている。そして、各支持柱５１には、支持溝５５が設けられている。支持溝５５は、取付箇所９から立ち上がる方向に延びており、支持溝５５にアンテナ基板１３の縁部５３が挿入されている。これにより、両側の支持溝５５にてアンテナ基板１３が支持されている。
【００３０】
その他の構成としては、導波基板１１の略中央には逃げ穴６１が設けられている。逃げ穴６１には、本体ケース３の突出部が位置している。また、導波基板１１は、縁部３１と反対の縁部６３に、逃げ凹部６５、６７を有している。逃げ凹部６５、６７にも、本体ケース３の突出部が位置している。
【００３１】
また、本体ケース３の取付箇所９には、コーナー突起７１が設けられている。コーナー突起７１は、導波基板１１のコーナー７３に対応する位置に設けられている。コーナー突起７１は、導波基板１１を取付箇所９に取り付けるときに利用される。取付時、コーナー７３がコーナー突起７１の内側に位置するように導波基板１１が配置される。
【００３２】
また、アンテナ基板１３の下端の縁部８１には、２つのスリット状の切欠部８３が設けられている。切欠部８３には、本体ケース３の取付箇所９のリブ８５が嵌っている。
【００３３】
さらに、２本のリブ９１が、本体ケース３の壁面９３に設けられている。壁面９３は、アンテナ基板１３の背面に沿っている。リブ９１は、壁面９３に沿って、取付箇所９から立ち上がる方向に延びている。そして、リブ９１は、アンテナ基板１３の背面に当接し、アンテナ基板１３を支持している。
【００３４】
以上に、本実施の形態の電子装置の構成について、アンテナ装置７およびその取付のための構成を中心に説明した。次に、本実施の形態の電子装置の組立方法を説明する。
【００３５】
まず、導波基板１１とアンテナ基板１３が組み合わされる。このとき、導波基板１１とアンテナ基板１３が直角に配置されて、導波基板１１の挿入部３３が、アンテナ基板１３のスリット３７に挿入される。導波基板１１の縁部３１がアンテナ基板１３に突き当たるまで、導波基板１１が挿入される。挿入部３３がスリット３７に挿入されると、同時に、導波基板１１の突起４１が、アンテナ基板１３のスリット４３に挿入される。
【００３６】
次に、導波基板１１とアンテナ基板１３が互いにスライドされ、挿入部３３がスリット３７内でスライドする。これにより、係合爪部３５がスリット３７の端部に達し、端部でアンテナ基板１３に係合する。
【００３７】
また、上記のスライド過程では、導波基板１１の突起４１が、アンテナ基板１３のスリット４３内を移動し、スリット４３内の突起４５に突き当たる。突起４１は、突起４５を乗り越え、突起４５の反対側まで達する。突起４１が突起４５を乗り越えるときは、導波基板１１がわずかに撓み、突起４１が、スリット４３内で、突起４５の横の隙間を通り抜ける。
【００３８】
以上のようにして、導波基板１１とアンテナ基板１３が組み合わされる。次に、両基板１１、１３の組立体が、本体ケース３に組み付けられる。
【００３９】
この組付作業では、アンテナ基板１３の両側の縁部５３が、本体ケース３の壁部５１の支持溝５５に挿入される。アンテナ基板１３および導波基板１１は、支持溝５５により取付箇所９へ向けて案内される。
【００４０】
アンテナ基板１３の縁部５３が支持溝５５の適当な位置まで挿入されると、導波基板１１が取付箇所９まで到達する。そして、導波基板１１のコーナー７５が、本体ケース３のコーナー突起７１の内側に配置される。このとき、導波基板１１のねじ穴２３は、本体ケース３のボス１７と位置合わせされる。また、導波基板１１の逃げ穴６１、逃げ穴６１、逃げ凹部６５、６７に、本体ケース３の対応部分が侵入する。さらに、アンテナ基板１３の縁部８１の切欠部８３に、本体ケース３のリブ８５が嵌り込む。また、アンテナ基板１３の背部には、本体ケース３のリブ９１が当接する。
【００４１】
次に、導波基板１１がねじ１５で取付箇所９に取り付けられる。このようにして、導波基板１１とアンテナ基板１３からなるアンテナ装置７が、本体ケース３に組み付けられる。組付状態では、アンテナ基板１３の動きが、導波基板１１と本体ケース３に規制される。より詳細には、導波基板１１の挿入部３３が、アンテナ基板１３のスリット３７に挿入され、取付箇所９から離れる方向の動きを規制する。また、挿入部３３の係合爪部３５が、アンテナ基板１３に係合し、取付箇所９上での横方向（本体ケース３の上下方向）の動きを規制する。本体ケース３の支持溝５５も、アンテナ基板１３の縁部５３を支持し、取付箇所９上での横方向（本体ケース３の左右方向）の動きを規制する。このようにして、アンテナ基板１３も導波基板１１と一緒に本体ケース３に固定される。
【００４２】
なお、アンテナ基板１３は完全に動かなくてもよく、あるいは、アンテナ性能に影響のない範囲である程度は動いてもよい。本実施の形態では、後者の場合も固定に含まれる。
【００４３】
以上に本発明の実施の形態に係るアンテナ内蔵電子装置について説明した。本実施の形態では、導波基板１１が取付箇所９に取り付けられると共に、アンテナ基板１３が取付箇所に立つように配置されている。そして、導波基板１１の挿入部３３がアンテナ基板１３のスリット３７に挿入されており、これにより、導波基板１１でアンテナ基板１３の動きが規制されている。したがって、板金金具で連結しないでも、両基板１１、１３を組み合わせて筐体に取り付けられる。
【００４４】
また、本実施の形態では、筐体が、取付箇所９から立ち上がる方向に延びる支持溝５５を備えており、アンテナ基板１３の縁部が支持溝５５に挿入されている。これにより、アンテナ基板１３が支持溝５５で支持され、アンテナ基板１３のぐらつきを防止できる。また、支持溝５５が、組付け時にアンテナ基板１３を案内する案内溝として機能するので、組立作業も容易になる。
【００４５】
また、本実施の形態では、導波基板１１の挿入部３３が係合爪３５を備えており、これにより、導波基板１１とアンテナ基板１３とが外れにくくなり、両基板が適切に取付箇所に取り付けられる。
【００４６】
また、本実施の形態では、アンテナ基板１３の突起４１が、係合爪部３５が外れる方向への導波基板１１の突起４５の動きを規制する位置に設けられている。これにより、両基板１１、１３が筐体への装着前に互いに仮固定され、したがって、両基板１１、１３を容易に筐体に組み付けられる。
【００４７】
なお、本実施の形態では、導波基板１１およびアンテナ基板１３が本発明の一方の基板および他方の基板にそれぞれ相当していた。これに対し、アンテナ基板が一方の基板であり、導波基板が他方の基板であってもよい。この場合、アンテナ基板に挿入部が設けられ、導波基板にスリットが設けられる。そして、アンテナ基板が筐体に取り付けられる。
【００４８】
その他にも、本発明は上述の実施の形態に限定されず、当業者が本発明の範囲内で上述の実施の形態を変形可能なことはもちろんである。
【産業上の利用可能性】
【００４９】
以上のように、本発明にかかるアンテナ内蔵装置は、板金金具で連結せずとも両基板を組み合わせて筐体に取り付けられ、アンテナ性能を向上できるという効果を有し、無線通信機等として有用である。
【図面の簡単な説明】
【００５０】
【図１】本発明の実施の形態におけるアンテナ内蔵電子装置を示す図
【図２】導波基板およびアンテナ基板を示す組立状態の斜視図
【図３】導波基板およびアンテナ基板を示す分解状態の斜視図
【図４】導波基板を示す図
【図５】アンテナ基板を示す図
【図６】アンテナ内蔵電子装置を前方から見た外観図
【図７】アンテナ内蔵電子装置を後方から見た外観図
【符号の説明】
【００５１】
１  アンテナ内蔵電子装置
３  本体ケース
７  アンテナ装置
９  取付箇所
１１  導波基板
１３  アンテナ基板
３３  挿入部
３５  係合爪部
３７  スリット
５５  支持溝
【図１】
2006025041.tif 000003
【図２】
2006025041.tif 000004
【図３】
2006025041.tif 000005
【図４】
2006025041.tif 000006
【図５】
2006025041.tif 000007
【図６】
2006025041.tif 000008
【図７】
2006025041.tif 000009